【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
基材テープ上に転写層を設けた転写テープと、
この転写テープを巻いた供給リールと、
この供給リールより供給される転写テープをテープ通過部に通して、転写テープのうち、上記転写層を基材テープから剥離しながら被転写材へ転写させる感圧用ヘッドと、
転写使用後に残った基材テープを巻き取る巻取リールとを器体に装備してある感圧転写具において、
感圧用ヘッドにはヘッド先端から突出できる感圧用の転写ヘッドを着脱自在に設けてあり、転写ヘッドの転写部の幅を感圧用ヘッドのテープ通過部の幅より小さく形成してあることを特徴とする感圧転写具。
【請求項２】
感圧用ヘッドには、転写部の幅が異なる転写ヘッドを交換可能なように着脱自在に設けてあることを特徴とする請求項１記載の感圧転写具。
【請求項３】
転写ヘッドには、両端に幅の異なる感圧用の転写部が突出形成されていて、転写部を変更使用できるようにしてあることを特徴とする請求項１記載の感圧転写具。
【請求項４】
転写ヘッドの支軸を断面四角形に形成し、この断面四角形の支軸に対する軸保持部を感圧用ヘッドに形成し、断面四角形の支軸を９０°又はその倍数角を転位可能に設けてあり、転写ヘッドには転位位置に幅の異なる転写部を複数設けてあって、転位可能なように構成してあることを特徴とする請求項１記載の感圧転写具。
【請求項５】
転写部の幅が、テープ通過部の幅の１／８〜３／４であることを特徴とする請求項１〜４の何れかに記載の感圧転写具。
【請求項６】
感圧用ヘッドには、両側部に翼状補強片が形成され、翼状補強片の先端は中央のテープ通過部より前方に突出しており、感圧用の転写部の先端は、翼状補強片の先端より前方に突出していることを特徴とする請求項１〜５の何れかに記載の感圧転写具。
【請求項７】
転写部が転写へッドの幅方向中央に設けられている請求項１〜６の何れかに記載の感圧転写具。
【手続補正２】
【補正対象書類名】明細書
【補正対象項目名】０００９
【補正方法】変更
【補正の内容】
【０００９】
また、本発明は請求項３に記載したように、転写ヘッドには、両端に幅の異なる感圧用の転写部が複数形成されていて転写部を変更使用できるようにしてあると、転写ヘッドの前後を変更させて着装することで、異なる幅の転写部に変更できることになる。
さらに、請求項４に記載したように、転写ヘッドの支軸を断面四角形に形成し、この断面四角形の支軸に対する軸保持部を感圧用ヘッドに形成し、断面四角形の支軸を９０°又はその倍数角を転位可能に設けてあり、転写ヘッドには転位位置に幅の異なる転写部を複数設けてあって、転位可能なように構成してあることを特徴とすると、転写ヘッドの断面四角形の支軸を感圧用ヘッドの軸保持部から一旦抜脱して、９０°又はその倍数角を転位させて再度軸保持部へ着装すると、幅の異なる転写部に変換できるもので、転写部のうち、所望幅のものを選択使用できることになる。


【手続補正３】
【補正対象書類名】明細書
【補正対象項目名】００１２
【補正方法】変更
【補正の内容】
【００１２】
【発明の実施の形態】
次いで本発明の実施形態について、順次図を参照しながら以下に説明する。
図１および図２は、感圧転写具の全体図を示しており、図３には感圧用ヘッドを示し、図４および図５には、感圧用ヘッドの器体への装填状態の詳細を示してある。図中１は感圧転写具の器体であって、プラスチック成形された半割体１ａ，１ｂを長手方向で合致させて形成されてあり（図２参照）、図示しないが互いの凹凸部による嵌合によるものであり、内部透視できるように双方を透明体にするか一方を透明体にして形成されている。この器体１の全体形状としては、先端側を細長い形状にしてペンタイプとして片手で把持使用できるような形状の把持部１１として形成してあり、把持部１１から後続する部分１２は、転写テープＴの装填部分となるようスペースを広く形成してある。


【手続補正４】
【補正対象書類名】明細書
【補正対象項目名】００１５
【補正方法】変更
【補正の内容】
【００１５】
次に、器体１の先端に設置してある前記した感圧用ヘッド３について、その形状の詳細を図３により説明すると、器体１の外側に位置させるテープ通過部３１と器体１内に装填させる板状の保持部３２とからなっていて、感圧用ヘッド３の先端となる部分には感圧用の転写ヘッド４０が着脱自在に設けられている。従って、同じ幅の転写部４１を有する転写ヘッド４０については、転写部４１の摩擦や損傷後に転写ヘッド４０を交換できることになる。さらに図示したものについて詳しく述べると、テープ通過部３１の先端には、感圧用の転写ヘッド４０が保持される嵌入部３７が形成されてあり、この嵌入部３７の両側には保持溝３８，３８が形成されていて、転写ヘッド４０には、上記保持溝３８，３８に嵌入できる突条４８，４８を形成してあり、転写幅の異なる複数個の転写ヘッド、図では２個のうち何れかの転写ヘッド４０を嵌入部３７に着装して使用すればよい。転写ヘッド４０の先端に突出形成した転写部４１の幅ｄ又はｄ′をテープ通過部３１の幅Ｄよりも小さく形成してある。具体的には、テープ通過部３１の幅Ｄの１／８〜３／４の範囲内の幅で形成するのが好ましく、転写部４１の下端は、断面直角よりもアール形状に形成しておく方が感圧転写し易くて好ましい。


【手続補正５】
【補正対象書類名】明細書
【補正対象項目名】００１８
【補正方法】変更
【補正の内容】
【００１８】
なお、感圧用ヘッド３における板状の保持部３２に突設してあるリブ状の安定部材３３については、図示した実施例のように保持部３２の上下面に突設されるほか、上下面一方でもよい。


【手続補正６】
【補正対象書類名】明細書
【補正対象項目名】００２０
【補正方法】変更
【補正の内容】
【００２０】
さらに、図７の転写ヘッド４０の場合には、全体をローラ状に形成し、転写ヘッド４０の支軸４２，４２を断面四角形に形成し、この断面四角形の支軸４２，４２に対する軸保持部３９，３９を感圧用ヘッド３におけるテープ通過部３１の先端に形成し、断面四角形の支軸４２を９０°又はその倍数角を回動させて転位可能にしておき、転写ヘッド４０には、転位位置に幅の異なる転写部４１ａ，４１ｂ，４１ｃ，４１ｄを複数形成して必要に応じて転位できるようにしている。図中３７ａは転写ヘッド４０の挿入部を示している。


【手続補正７】
【補正対象書類名】明細書
【補正対象項目名】００２２
【補正方法】変更
【補正の内容】
【００２２】
なお、上記した実施態様の各転写部としては、転写ヘッド４０の中央即ちテープ通過部３１の幅Ｄに対して中央に配置されるよう設けられているので、転写テープＴが蛇行することなく、確実に所定位置へ転写することができる。
上記各図に示した感圧転写具は、器体１をたとえばペンを持つように６０°〜８０°の起上状態にして片手で把持し、すなわち把持部１１側面に人差し指、中指および親指をそれぞれ当てがい、感圧用ヘッド３の先端から突出した感圧用の転写ヘッド４０における細幅の転写部４１（４１′：４１ａ，４１ｂ…の場合あり）を被転写材Ａ上に感圧しながら移行させてやると（図１の白矢印参照）、転写テープＴの転写層のうち、感圧用の転写部４１の細幅に対応した転写層Ｔ2だけが剥がされて被転写材Ａへと転写される。


【手続補正８】
【補正対象書類名】明細書
【補正対象項目名】００２３
【補正方法】変更
【補正の内容】
【００２３】
なお、感圧用ヘッド３の保持部３２に突設されているリブ状の安定部材３３は、保持部３２の一面または両面に複数本突設されていてもよい。安定部材３３が複数本突設されると、保持部３２をより一層強固にすることができ、ひいてはテープ通過部３１に対する安定保持を強化できることになる。
また、転写層Ｔ2は、印刷物等の作成文書のうち８ポイント以下の文字や図面の線等の特定部分を消去して訂正するための消去用テープに用いられる白色の着色転写層であってもよいし、学生等が暗記作業を行うために暗記すべき細かい文字や図形、符号部分を強調するための着色転写用テープ（マーカー用テープ）で用いられる赤色や緑色の着色転写層であってもよい。さらには、細かい部分に対しての粘着層転写テープで用いられる粘着層であってもよい。


【手続補正９】
【補正対象書類名】明細書
【補正対象項目名】符号の説明
【補正方法】変更
【補正の内容】
【符号の説明】
１    器体
２    供給リール
３    感圧用ヘッド
４    巻取リール
３１  テープ通過部
Ｄ    テープ通過部の幅
３２  保持部
３３  安定部材
３４  翼状補強片
３７  嵌入部
３８，３８  保持溝
３９  軸保持部
４０  転写ヘッド
４１  転写部
４２  支軸
４８，４８  突条
ｄ    転写部の幅
Ｔ    転写テープ
Ｔ1  基材テープ
Ｔ2  転写層


【手続補正１０】
【補正対象書類名】図面
【補正対象項目名】図３
【補正方法】変更
【補正の内容】
【図３】
1998231062.tif 000001
【手続補正１１】
【補正対象書類名】図面
【補正対象項目名】図４
【補正方法】変更
【補正の内容】
【図４】
1998231062.tif 000002
【手続補正１２】
【補正対象書類名】図面
【補正対象項目名】図５
【補正方法】変更
【補正の内容】
【図５】
1998231062.tif 000003
【手続補正１３】
【補正対象書類名】図面
【補正対象項目名】図６
【補正方法】変更
【補正の内容】
【図６】
1998231062.tif 000004
【手続補正１４】
【補正対象書類名】図面
【補正対象項目名】図７
【補正方法】変更
【補正の内容】
【図７】
1998231062.tif 000005